(57)【要約】【課題】雑音の多い合成映像信号からでも、確実に垂直同期パルスを検出できる垂直同期検出回路を提供する。【解決手段】合成映像信号ＳＩＧは、クロック信号ＣＬＫに従ってＡＤＣ１０でディジタルの入力信号ＩＮに変換される。入力信号ＩＮは、平均算出部３０Ａにおいて垂直同期パルスの同期レベルに対応する期間（例えば、３５０画素）のレベルの平均値ＡＶが算出され、比較器４０で所定の閾値レベルＴＨと比較される。そして、３５０画素毎に比較器４０の比較結果が、検出信号ＤＥＴとしてＡＮＤ５０から出力される。このように、同期パルスのほぼ同期レベル期間に対応する長期間の平均値ＡＶを算出することにより、雑音の影響が抑制され確実に垂直同期パルスを検出することができる。【選択図】　　　図１
2004080534.tif 000002
【特許請求の範囲】
【請求項１】
合成映像信号をクロック信号に従ってディジタル化した入力信号から垂直同期パルスを検出する垂直同期検出回路であって、
前記垂直同期パルスにおける同期レベルの期間にほぼ相当する一定周期毎に、前記入力信号のレベルの平均値を算出する平均算出部と、
前記一定周期毎に前記平均値を所定の閾値レベルと比較し、該平均値が該閾値レベルを下回っている時に同期検出信号を出力する比較部とを、
備えたことを特徴とする垂直同期検出回路。
【請求項２】
合成映像信号をクロック信号に従ってディジタル化した入力信号から垂直同期パルスを検出する垂直同期検出回路であって、
前記垂直同期パルスにおける同期レベルの期間のほぼ１／ｎ（但し、ｎは複数）に相当する一定周期毎に前記入力信号のレベルの平均値を算出する平均算出部と、
前記平均値を所定の閾値レベルと比較してその比較結果に応じた比較信号を出力する比較部と、
前記比較信号がｎ回出力される毎に、該ｎ個の比較信号の内で前記平均値が前記閾値レベルを下回っているものが過半数であるか否かを判定し、過半数と判定されたときに同期検出信号を出力する判定部とを、
備えたことを特徴とする垂直同期検出回路。
【請求項３】
合成映像信号をクロック信号に従ってディジタル化した入力信号から垂直同期パルスを検出する垂直同期検出回路であって、
前記クロック信号をカウントして前記垂直同期パルスにおける同期レベルの期間のほぼ１／ｎ（但し、ｎは複数）に相当する一定周期毎に第１のタイミング信号を出力し、カウント値が該同期レベルの期間にほぼ相当する値に達したときに第２のタイミング信号を出力し、リセット信号が与えられたときには該カウント値をリセットするタイミング部と、
前記入力信号を所定の閾値レベルと比較してその比較結果に応じた２値の比較信号を出力する比較部と、
前記比較信号の値に応じてカウント値を１ずつ増加または減少し、リセット信号に応じてそのカウント値をリセットするアップダウン・カウンタと、
前記第１のタイミング信号が与えられたときに、前記アップダウン・カウンタのカウント値に基づいて前記比較信号の内で前記入力信号が前記閾値レベルを上回っているものが過半数であるか否かを判定し、過半数と判定されたときに前記リセット信号を出力し、前記第２のタイミング信号が与えられたときには、該カウント値に基づいて該比較信号の内で該入力信号が該閾値レベルを下回っているものが過半数であるか否かを判定し、過半数と判定されたときに同期検出信号を出力する判定部とを、
備えたことを特徴とする垂直同期検出回路。
【請求項４】
合成映像信号をクロック信号に従ってディジタル化した入力信号から垂直同期パルスを検出する垂直同期検出回路であって、
前記クロック信号をカウントして前記垂直同期パルスにおける同期レベルの期間のほぼ１／ｎ（但し、ｎは複数）に相当する一定周期毎に第１のタイミング信号を出力し、カウント値が該同期レベルの期間にほぼ相当する値に達したときに第２のタイミング信号を出力し、リセット信号が与えられたときには該カウント値をリセットするタイミング部と、
前記入力信号を所定の閾値レベルと比較してその比較結果に応じた２値の比較信号を出力する比較部と、
前記比較信号の値と予め与えられた重み付け係数に応じてカウント値を予め設定された数だけ増加または減少し、リセット信号に応じてそのカウント値をリセットするアップダウン・カウンタと、
前記第１のタイミング信号が与えられたときに、前記アップダウン・カウンタのカウント値に基づいて前記リセット信号の出力を制御し、前記第２のタイミング信号が与えられたときには、該カウント値に基づいて同期検出信号の出力を制御する判定部とを、
備えたことを特徴とする垂直同期検出回路。
【請求項５】
合成映像信号をクロック信号に従ってディジタル化した入力信号から垂直同期パルスを検出する垂直同期検出回路であって、
前記クロック信号をカウントして前記垂直同期パルスにおける同期レベルの期間のほぼ１／ｎ（但し、ｎは複数）に相当する一定周期毎に第１のタイミング信号を出力し、カウント値が該同期レベルの期間にほぼ相当する値に達したときに第２のタイミング信号を出力し、リセット信号が与えられたときには該カウント値をリセットするタイミング部と、
前記入力信号を複数の閾値レベルと比較してその比較結果に応じた多値の比較信号を出力する比較部と、
前記比較信号の値に応じてカウント値を予め設定された数だけ増加または減少し、リセット信号に応じてそのカウント値をリセットするアップダウン・カウンタと、
前記第１のタイミング信号が与えられたときに、前記アップダウン・カウンタのカウント値に基づいて前記リセット信号の出力を制御し、前記第２のタイミング信号が与えられたときには、該カウント値に基づいて同期検出信号の出力を制御する判定部とを、
備えたことを特徴とする垂直同期検出回路。
【発明の詳細な説明】
【０００１】
【発明の属する技術分野】
【０００２】
本発明は、合成映像信号からディジタル映像信号を生成するディジタルビデオ・デコーダにおいて、ディジタル化された入力信号から垂直同期パルスを検出する垂直同期検出回路に関するものである。
【０００３】
【従来の技術】
【０００４】
図２は、ＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）方式の合成映像信号における垂直同期パルスの信号波形図である。
【０００５】
図２に示すように、垂直帰線消去期間の最初の３水平走査期間（３Ｈ）は、水平同期周波数（約１５．７５ｋＨｚ）の２倍の周波数の等化パルスが連続し、この等化パルスの後に同じく水平同期周波数の２倍の周波数で狭い幅の正の切り込みパルスを有する垂直同期パルスが３水平走査期間続く。更に、垂直同期パルスの後には、等化パルス等が所定の時間だけ連続している。垂直同期パルスにおいて、切り込みパルス区間は黒レベルよりも低い帰線消去レベルとなっており、それ以外の区間はこの帰線消去レベルよりも更に低い同期レベルとなっている。
【０００６】
ディジタルビデオ・デコーダでは、合成映像信号をサンプリングしてディジタル値の画素に変換した後、垂直水平同期信号の検出や、輝度信号及びカラー信号等の抽出が行われる。サンプリング用のクロック信号の周波数を、例えば１３．５ＭＨｚにすると、１ラインは約８５８画素となる。また、切り込みパルスの幅は約４．７μｓであるので、この切り込みパルスは６４画素分に相当し、同期レベルの区間は３６５画素分に相当する。このように合成映像信号をディジタル化した場合、垂直同期パルス以外に同期レベルが３６５画素分連続することはないので、これを利用して垂直同期パルスを検出することができる。
【０００７】
図３は、従来の垂直同期検出回路の一例を示す構成図である。
【０００８】
この垂直同期検出回路は、比較器（ＣＭＰ）１、変化検出部２、検出カウンタ３及び保護カウンタ４で構成されている。
【０００９】
比較器１は、例えば１３．５ＭＨｚのクロック信号ＣＬＫでサンプリングされてディジタル値に変換された入力信号ＩＮを、帰線消去レベルと同期レベルの間に設定された所定の閾値レベルＴＨと比較し、比較結果の比較信号ＣＰを出力するものである。また、変化検出部２は、入力信号ＩＮが閾値レベルＴＨよりも低下したタイミングを検出し、変化信号ＣＮＧを出力するものである。比較信号ＣＰと変化信号ＣＮＧは、検出カウンタ３に与えられるようになっている。
【００１０】
検出カウンタ３は、変化信号ＣＮＧに基づいてカウント動作を開始し、閾値レベルＴＨを下回る入力信号ＩＮが連続する数をカウントし、そのカウント値が一定数（例えば、３５０）に達したときに、検出信号ＤＥＴを出力するものである。一方、保護カウンタ４は、雑音による検出カウンタ３の誤動作を保護するもので、閾値レベルＴＨを上回る入力信号ＩＮの連続する数をカウントし、このカウント値が一定数（例えば、１５）を越えない限り、検出カウンタ３のカウント動作を継続させるようになっている。
【００１１】
この垂直同期検出回路では、ディジタル値に変換された入力信号ＩＮが比較器１と変化検出部２に入力される。入力信号ＩＮは、比較器１によって閾値レベルＴＨと比較され、その結果の比較信号ＣＰが検出カウンタ３と保護カウンタ４に与えられる。また入力信号ＩＮは、変化検出部２によって閾値レベルＴＨを下回ったタイミングが検出され、変化信号ＣＮＧが検出カウンタ４に与えられる。
【００１２】
これにより、入力信号ＩＮが閾値レベルＴＨを下回ったタイミングから、検出カウンタ３のカウント動作が開始される。検出カウンタ３のカウント動作中に、入力信号ＩＮが閾値レベルＴＨを上回った場合、保護カウンタ４のカウント動作が行われる。保護カウンタ４のカウント値が１５を越えない限り、検出カウンタ３はリセットされずに、そのカウント動作が継続される。そして、検出カウンタ３のカウント値が３５０に達すると、入力信号ＩＮが垂直同期パルスであると判定され、この検出カウンタ３から検出信号ＤＥＴが出力される。
【００１３】
一方、入力信号ＩＮが閾値レベルＴＨを上回る時間が長くなって、検出カウンタ３のカウント動作中に、保護カウンタ４のカウント値が１５を越えると、この検出カウンタ３がリセットされて、カウント動作が停止される。一旦停止された検出カウンタ３は、入力信号ＩＮが再度閾値レベルＴＨを下回るタイミングまで、再起動されない。
【００１４】
このように、垂直同期パルスの期間に、雑音によって入力信号ＩＮが瞬間的に閾値レベルを上回ることがあっても、その期間が一定時間以内であれば、検出カウンタ３のカウント動作は、保護カウンタ４によって保護されて継続される。従って、弱電界等によって合成映像信号に雑音が入っていても、垂直同期パルスの検出を行うことができる。
【００１５】
【発明が解決しようとする課題】
【００１６】
しかしながら、従来の垂直同期検出回路では、次のような課題があった。
【００１７】
即ち、入力信号ＩＮの垂直同期パルス期間に、所定の画素数（例えば、１５）を連続して越えるような雑音があると、検出カウンタ３が停止してしまい、垂直同期パルスを検出することができない。
【００１８】
本発明は、前記従来技術が持っていた課題を解決し、雑音の多い合成映像信号からでも、確実に垂直同期パルスを検出することができる垂直同期検出回路を提供するものである。
【００１９】
【課題を解決するための手段】
【００２０】
前記課題を解決するために、本発明の内の第１の発明は、合成映像信号をクロック信号に従ってディジタル化した入力信号から垂直同期パルスを検出する垂直同期検出回路を、前記垂直同期パルスにおける同期レベルの期間にほぼ相当する一定周期毎に、前記入力信号のレベルの平均値を算出する平均算出部と、前記一定周期毎に前記平均値を所定の閾値レベルと比較し、該平均値が該閾値レベルを下回っている時に同期検出信号を出力する比較部とで構成している。
【００２１】
第２の発明は、垂直同期検出回路を、垂直同期パルスにおける同期レベルの期間のほぼ１／ｎに相当する一定周期毎に入力信号のレベルの平均値を算出する平均算出部と、前記平均値を所定の閾値レベルと比較してその比較結果に応じた比較信号を出力する比較部と、前記比較信号がｎ回出力される毎に、該ｎ個の比較信号の内で前記平均値が前記閾値レベルを下回っているものが過半数であるか否かを判定し、過半数と判定されたときに同期検出信号を出力する判定部とで構成している。
【００２２】
第１及び第２の発明によれば、次のような作用が行われる。
【００２３】
平均算出部によって、一定周期毎に入力信号のレベルの平均値が算出され、比較部によってこの平均値と所定の閾値レベルが比較される。そして、平均値が閾値レベルを下回っていれば、同期検出信号が出力される。
【００２４】
第３の発明は、垂直同期検出回路を、クロック信号をカウントして垂直同期パルスにおける同期レベルの期間のほぼ１／ｎに相当する一定周期毎に第１のタイミング信号を出力し、カウント値が該同期レベルの期間に相当する値に達したときに第２のタイミング信号を出力し、リセット信号が与えられたときには該カウント値をリセットするタイミング部と、入力信号を所定の閾値レベルと比較してその比較結果に応じた２値の比較信号を出力する比較部と、前記比較信号の値に応じてカウント値を１ずつ増加または減少し、リセット信号に応じてそのカウント値をリセットするアップダウン・カウンタと、前記第１のタイミング信号が与えられたときに、前記アップダウン・カウンタのカウント値に基づいて前記比較信号の内で前記入力信号が前記閾値レベルを上回っているものが過半数であるか否かを判定し、過半数と判定されたときに前記リセット信号を出力し、前記第２のタイミング信号が与えられたときには、該カウント値に基づいて該比較信号の内で該入力信号が該閾値レベルを下回っているものが過半数であるか否かを判定し、過半数と判定されたときに同期検出信号を出力する判定部とで構成している。
【００２５】
第４の発明は、垂直同期検出回路を、第３の発明と同様のタイミング部及び比較部と、比較信号の値と予め与えられた重み付け計数に応じてカウント値を予め設定された数だけ増加または減少し、リセット信号に応じてそのカウント値をリセットするアップダウン・カウンタと、第１のタイミング信号が与えられたときに、前記アップダウン・カウンタのカウント値に基づいて前記リセット信号の出力を制御し、第２のタイミング信号が与えられたときには、該カウント値に基づいて同期検出信号の出力を制御する判定部とで構成している。
【００２６】
第５の発明は、垂直同期検出回路を、第３の発明と同様のタイミング部と、入力信号を複数の閾値レベルと比較してその比較結果に応じた多値の比較信号を出力する比較部と、前記比較信号の値に応じてカウント値を予め設定された数だけ増加または減少し、リセット信号に応じてそのカウント値をリセットするアップダウン・カウンタと、第４の発明と同様の判定部とで構成している。
【００２７】
第３〜第５の発明によれば、次のような作用が行われる。
【００２８】
比較器で入力信号と閾値レベルが比較されてその結果の比較信号が出力される。アップダウン・カウンタでは、クロック信号のタイミングで、比較信号に応じてカウント値の増減が行われる。判定部では第１のタイミング信号によってカウント値が判定され、入力信号が閾値レベルを越えている場合にはリセット信号が出力されてアップダウン・カウンタがリセットされる。そして、第２のタイミング信号が与えられたときに、入力信号が閾値レベル以下であれば、同期検出信号が出力される。
【００２９】
【発明の実施の形態】
【００３０】
（第１の実施形態）
【００３１】
図１は、本発明の第１の実施形態を示す垂直同期検出回路の構成図である。
【００３２】
この垂直同期検出回路は、例えばＮＴＳＣ方式の合成映像信号ＳＩＧを、１３．５ＭＨｚのクロック信号ＣＬＫでサンプリングしてディジタルの入力信号ＩＮに変換するアナログ・ディジタル変換器（以下、「ＡＤＣ」という）１０と、このクロック信号ＣＬＫに基づいてタイミング信号ＴＩＭを生成するタイミング部２０Ａを有している。
【００３３】
タイミング部２０Ａは、例えば３５０クロック毎の一定の周期で、垂直同期検出用のタイミング信号ＴＩＭを出力するもので、クロック信号ＣＬＫをカウントするカウンタ（ＣＮＴ）２１と、このカウンタ２１のカウント値を一定数（ここでは、３５０）と比較する比較器２２とで構成されている。比較器２２は、２つの入力値が一致したときに、タイミング信号ＴＩＭを出力するものである。
【００３４】
更に、この垂直同期検出回路は、ＡＤＣ１０で変換された入力信号ＩＮの平均値ＡＶを算出する平均算出部３０Ａを有している。平均算出部３０Ａは、加算器（ＡＤＤ）３１、レジスタ（ＲＥＧ）３２、及び除算器３３で構成され、ＡＤＣ１０から与えられる入力信号ＩＮとレジスタ３２に保持された累積値を加算器３１で加算し、その結果をクロック信号ＣＬＫに基づいて再びレジスタ３２に保持するようになっている。レジスタ３２に保持された累積値は、除算器３３で１／３５０に割り算され、平均値ＡＶとして出力される。また、レジスタ３２の累積値は、タイミング信号ＴＩＭによって、３５０クロック毎にリセットされるようになっている。
【００３５】
比較器４０は、平均値ＡＶを閾値レベルＴＨと比較し、その結果の比較信号ＣＰを出力するものである。なお、閾値レベルＴＨは、図２に示すように、帰線消去レベルと同期レベルの間の所定の値（例えば、中間値）に設定されている。この比較器４０では、平均値ＡＶが閾値レベルＴＨよりも小さいときに、レベル“Ｈ”の比較信号ＣＰを出力するようになっている。比較器４０の出力側は、２入力の論理積ゲート（以下、「ＡＮＤ」という）５０の第１の入力側に接続されている。ＡＮＤ５０の第２の入力側には、タイミング部２０Ａのタイミング信号ＴＩＭが与えられるようになっている。
【００３６】
次に、動作を説明する。
【００３７】
合成映像信号ＳＩＧは、クロック信号ＣＬＫに従ってサンプリングされてディジタルの入力信号ＩＮに変換され、平均算出部３０Ａに与えられる。平均算出部３０Ａにおいて、入力信号ＩＮは加算器３１によってレジスタ３２に保持されている累積値と加算され、その加算結果がクロック信号ＣＬＫに従って再びレジスタ３２に保持される。
【００３８】
レジスタ３２に保持された累積値は、除算器３３で１／３５０に割り算され、その除算結果が平均値ＡＶとして比較器４０に与えられる。比較器４０において、平均値ＡＶと閾値レベルＴＨが比較され、比較信号ＣＰがＡＮＤ５０の第１の入力側に与えられる。ＡＮＤ５０の第２の入力側には、タイミング部２０Ａからのタイミング信号ＴＩＭが与えられているが、このタイミング部２０Ａのカウンタ２１の値が３５０未満のときは、このタイミング信号ＴＩＭはレベル“Ｌ”である。従って、この時ＡＮＤ５０から出力される検出信号ＤＥＴは、比較信号ＣＰにかかわらず“Ｌ”となる。
【００３９】
３５０回目のクロック信号ＣＬＫによって、連続する３５０個の入力信号ＩＮの累積値が平均算出部３０Ａのレジスタ３２に保持されると、この平均算出部３０Ａから出力される平均値ＡＶは、この期間の入力信号ＩＮの正確な平均値となる。この平均値ＡＶは、比較器４０によって閾値レベルＴＨと比較され、その結果の比較信号ＣＰがＡＮＤ５０に与えられる。
【００４０】
一方、タイミング部２０Ａでは、カウンタ２１のカウント値が３５０になり、比較器３２から出力されるタイミング信号ＴＩＭは“Ｈ”となる。このタイミング信号ＴＩＭはＡＮＤ５０に与えられ、このＡＮＤ５０から出力される検出信号ＤＥＴは、比較信号ＣＰと一致する。即ち、３５０個の入力信号ＩＮの平均値ＡＶが閾値レベルＴＨよりも小さければ、検出信号ＤＥＴは“Ｈ”となり、平均値ＡＶが閾値レベルＴＨよりも大きければ、検出信号ＤＥＴは“Ｌ”となる。
【００４１】
その後、カウンタ２１とレジスタ３２は、タイミング信号ＴＩＭによってリセットされ、同様の垂直同期検出動作が周期的に繰り返される。
【００４２】
以上のように、この第１の実施形態の垂直同期検出回路は、水平走査期間のほぼ半分の期間の入力信号ＩＮの平均値ＡＶを算出する平均算出部２０Ａを有し、算出した平均値ＡＶを閾値レベルＴＨと比較して検出信号ＤＥＴを出力するようにしている。弱電界における合成映像信号ＳＩＧの垂直同期期間の同期レベルは、雑音が重畳していても平均化すると一定値以下となるので、適切な閾値レベルを設定すると共に、このように長い期間の平均をとることにより、確実に垂直同期パルスを検出することができるという利点がある。
【００４３】
（第２の実施形態）
【００４４】
図４は、本発明の第２の実施形態を示す垂直同期検出回路の構成図であり、図１中の要素と共通の要素には共通の符号が付されている。
【００４５】
この垂直同期検出回路は、合成映像信号ＳＩＧをクロック信号ＣＬＫでサンプリングしてディジタルの入力信号ＩＮに変換するＡＤＣ１０と、このクロック信号ＣＬＫに基づいてタイミング信号ＴＭ１，ＴＭ２，ＴＭ３を生成するタイミング部２０Ｂを有している。
【００４６】
タイミング部２０Ｂは、クロック信号ＣＬＫをカウントする９桁の２進カウンタ２３と、この２進カウンタ２３のカウント値をデコードして、それぞれタイミング信号ＴＭ１〜ＴＭ３を出力するＡＮＤ２４〜２６とで構成されている。ＡＮＤ２４は、２進カウンタ２３のカウント値が１６の倍数になる毎に、タイミング信号ＴＭ１を“Ｈ”にするものである。また、ＡＮＤ２５，２６は、２進カウンタ２３のカウント値が３５１，３５２になった時に、それぞれ“Ｈ”のタイミング信号ＴＭ２，ＴＭ３を出力するものである。タイミング信号ＴＭ３は、２進カウンタ２３のリセット端子Ｒに与えられ、これによって、この２進カウンタ２３のカウント値は、０〜３５１の間で繰り返されるようになっている。
【００４７】
更に、この垂直同期検出回路は、ＡＤＣ１０から与えられる入力信号ＩＮの平均値ＡＶを算出する平均算出部３０Ｂを有している。この平均算出部３０Ｂは、図１中の平均算出部３０Ａの除算器３３に代えて、１／１６の割り算を行って平均値ＡＶを出力する除算器３４を設けたものである。また、レジスタ３２は、タイミング信号ＴＭ１によって、１６クロック毎にリセットされるようになっている。
【００４８】
比較器４０は、平均値ＡＶと閾値レベルＴＨを比較して比較信号ＣＰを出力するもので、この比較器４０の出力側が判定部６０に接続されている。判定部６０は、ＡＮＤ６１，６３、インバータ６２、カウンタ６４及び比較器６５で構成され、比較信号ＣＰがこのＡＮＤ６１の第１の入力側に与えられると共に、インバータ６２を介してＡＮＤ６３の第１の入力側に与えられるようになっている。また、ＡＮＤ６１，６３の第２の入力側には、タイミング信号ＴＭ１が与えられ、これらのＡＮＤ６１，６３の出力側が、カウンタ６４の入力端子Ｕ，Ｄにそれぞれ接続されている。
【００４９】
カウンタ６４は、入力端子Ｕにパルスが与えられるとカウント値が１だけ増加し、入力端子Ｄにパルスが与えられると、そのカウント値が１だけ減少するものである。カウンタ６４のリセット端子Ｒには、タイミング信号ＴＭ３が与えられ、このカウンタ６４の出力側が、比較器６５に接続されている。比較器６５は、カウンタ６４のカウント値が正のときに、“Ｈ”の信号を出力するものである。比較器６５の出力側は、ＡＮＤ５０の第１の入力側に接続され、このＡＮＤ５０の第２の入力側には、タイミング信号ＴＭ２が与えられている。そして、ＡＮＤ５０から、検出信号ＤＥＴが出力されるようになっている。
【００５０】
次に、動作を説明する。
【００５１】
クロック信号ＣＬＫは、タイミング部２０Ｂの２進カウンタ２３でカウントされ、１６クロック毎にタイミング信号ＴＭ１が出力され、３５２クロック目にタイミング信号ＴＭ２が出力される。そして、３５３クロック目の立ち上がりによってタイミング信号ＴＭ３が立ち上がると、２進カウンタ２３は瞬間的にリセットされ、そのカウント値は０に戻る。
【００５２】
一方、合成映像信号ＳＩＧは、クロック信号ＣＬＫに従ってディジタルの入力信号ＩＮに変換され、平均算出部３０Ｂに与えられる。平均算出部３０Ｂにおいて、入力信号ＩＮはクロック信号ＣＬＫに従って累積加算され、その累積値が、除算器３４で１／１６に割り算されて平均値ＡＶとして比較器４０に与えられる。比較器４０において、平均値ＡＶと閾値レベルＴＨが比較され、比較信号ＣＰが判定部６０Ａに与えられる。
【００５３】
判定部６０Ａでは、１６クロック毎にタイミング信号ＴＭ１が“Ｈ”となったときに、比較信号ＣＰのレベルに従って、ＡＮＤ６１，６３のいずれか一方からパルス信号が出力される。即ち、平均値ＡＶが閾値レベルＴＨより小さいときには、比較信号ＣＰが“Ｈ”となり、ＡＮＤ６１からパルス信号ＵＰが出力される。また、平均値ＡＶが閾値レベルＴＨより大きいときには、比較信号ＣＰが“Ｌ”となり、ＡＮＤ６３からパルス信号ＤＮが出力される。
【００５４】
パルス信号ＵＰ，ＤＮはカウンタ６４に与えられ、カウンタ６４のカウント値は、タイミング信号ＴＭ１に従って増減する。カウンタ６４のカウント値は、比較器６５で比較され、カウント値が正のとき、比較器６５の出力信号が“Ｈ”となり、カウント値が０または負のときは、この比較器６５の出力信号が“Ｌ”となる。
【００５５】
クロック信号ＣＬＫの３５２クロック目で、タイミング信号ＴＭ２が“Ｈ”になると、比較器６５の出力信号が、ＡＮＤ５０から検出信号ＤＥＴとして出力される。
【００５６】
これにより、タイミング信号ＴＭ１毎の比較信号ＣＰのうち、“Ｈ”の回数が“Ｌ”の回数よりも多ければ、カウンタ６４のカウント値は正となり、“Ｈ”の検出信号ＤＥＴが出力される。“Ｈ”の回数が“Ｌ”の回数よりも少なければ、カウンタ６４のカウント値は負となり、検出信号ＤＥＴは出力されない。
【００５７】
その後、カウンタ２３，６４は、クロック信号ＣＬＫの３５３クロック目で、タイミング信号ＴＭ３によってリセットされ、同様の垂直同期検出動作が周期的に繰り返される。
【００５８】
以上のように、この第２の実施形態の垂直同期検出回路は、１６クロック毎に入力信号ＩＮの平均値ＡＶを算出する平均算出部３０Ｂと、その平均値ＡＶを閾値レベルＴＨと比較して比較結果をカウントして判定する判定部６０Ａを有している。これにより、図１の平均算出部３０Ａに比べて、平均算出部３０Ｂの累積値を小さくすることができ、小さな回路規模で第１の実施形態と同様の利点が得られる。
【００５９】
（第３の実施形態）
【００６０】
図５は、本発明の第３の実施形態を示す垂直同期検出回路の構成図であり、図４中の要素と共通の要素には共通の符号が付されている。
【００６１】
この垂直同期検出回路は、合成映像信号ＳＩＧをクロック信号ＣＬＫでサンプリングしてディジタルの入力信号ＩＮに変換するＡＤＣ１０と、このクロック信号ＣＬＫに基づいてタイミング信号ＴＭ１，ＴＭ２を生成するタイミング部２０Ｃを有している。タイミング部２０Ｃは、図４中のタイミング部２０Ｂから、タイミング信号ＴＭ３を生成するＡＮＤ２６を削除したものである。
【００６２】
また、この垂直同期検出回路は、ＡＤＣ１０で変換された入力信号ＩＮを閾値レベルＴＨと比較して比較信号ＣＰを出力する比較器４０を有しており、この比較信号ＣＰが、判定部６０Ｂに与えられるようになっている。
【００６３】
判定部６０Ｂは、アップダウン・カウンタ６６と比較器６７，６８で構成されている。アップダウン・カウンタ６６は、制御端子Ｕ／Ｄに与えられる比較信号ＣＰが“Ｈ”のときに、クロック端子Ｃに与えられるクロック信号ＣＬＫのタイミングでカウント値を増加させ、比較信号ＣＰが“Ｌ”のときに、カウント値を減少させるものである。アップダウン・カウンタ６６のカウント値は、比較器６７，６８に与えられるようになっている。比較器６７は、カウント値が正のときに“Ｈ”の信号ＳＰを出力し、比較器８３は、このカウント値が０または負のときに“Ｈ”の信号ＳＭを出力するものである。
【００６４】
信号ＳＰは、ＡＮＤ５０によってタイミング信号ＴＭ２との論理積がとられ、検出信号ＤＥＴとして出力されるようになっている。また、信号ＳＭは、ＡＮＤ８１によってタイミング信号ＴＭ１との論理積がとられ、論理和ゲート（以下、「ＯＲ」という）８２の第１の入力側に与えられるようになっている。
【００６５】
更に、この垂直同期検出回路は、比較信号ＣＰの変化に基づいて垂直同期パルスの立ち下がりのタイミングを検出し、変化信号ＣＮＧを出力する変化検出部７０を有している。変化検出部７０は、比較信号ＣＰをクロック信号ＣＬＫでラッチして１クロック分だけ遅延させるフリップフロップ（以下、「ＦＦ」という）７１と、このＦＦ７１の出力信号を反転するインバータ７２と、このインバータ７２の出力信号と比較信号ＣＰの論理積をとって変化信号ＣＮＧを出力するＡＮＤ７３で構成されている。
【００６６】
変化信号ＣＮＧは、ＯＲ８２の第２の入力側に与えられ、このＯＲ８２の出力側から、２進カウンタ２３とアップダウン・カウンタ６６に対するリセット信号ＲＳＴが出力されるようになっている。
【００６７】
次に動作を説明する。
【００６８】
合成映像信号ＳＩＧは、クロック信号ＣＬＫに従ってディジタルの入力信号ＩＮに変換され、比較器４０によって閾値レベルＴＨと比較されてその結果の比較信号ＣＰが、判定部６０Ｂと変化検出部７０に与えられる。
【００６９】
変化検出部７０では、入力信号ＩＮが閾値レベルＴＨ以下に立ち下がるタイミング、即ち比較信号ＣＰが“Ｌ”から“Ｈ”へ変化するタイミングが検出される。入力信号ＩＮの立ち下がりにより、変化信号ＣＮＧが出力され、タイミング部２０Ｃの２進カウンタ２３と判定部６０Ｂのアップダウン・カウンタ６６がリセットされる。
【００７０】
タイミング部２０Ｃでは、クロック信号ＣＬＫが２進カウンタ２３でカウントされ、１６クロック毎にタイミング信号ＴＭ１が出力され、３５２クロック目にタイミング信号ＴＭ２が出力される。この動作は、リセット信号ＲＳＴが与えられない限り、連続して行われる。リセット信号ＲＳＴが与えられたときには、２進カウンタ２３のカウント値は０になって再起動される。
【００７１】
一方、判定部６０Ｂにおいて、アップダウン・カウンタ６６のカウント値は、比較信号ＣＰが“Ｈ”、即ち入力信号ＩＮが閾値レベルＴＨ以下のとき、クロック信号ＣＬＫのタイミングで１ずつ増加される。逆に、比較信号ＣＰが“Ｌ”、即ち入力信号ＩＮが閾値レベルＴＨを越えるときには、カウント値はクロック信号ＣＬＫのタイミングで１ずつ減少される。
【００７２】
１６クロック目でタイミング信号ＴＭ１が出力されたとき、アップダウン・カウンタ６６のカウント値が０または負であると、比較器６８から出力される信号ＳＭが“Ｈ”となるので、ＡＮＤ８１からＯＲ８２を介してリセット信号ＲＳＴが出力され、タイミング部２０Ｃと判定部６０Ｂは初期状態に戻る。タイミング信号ＴＭ１が出力されたとき、アップダウン・カウンタ６６のカウント値が正であると、信号ＳＭが“Ｌ”となるのでリセット信号ＲＳＴは出力されない。従って、タイミング部２０Ｃと判定部６０Ｂの動作はそのまま継続される。
【００７３】
３５２クロック目でタイミング信号ＴＭ２が出力されたとき、アップダウン・カウンタ６６のカウント値が正であると、信号ＳＰは“Ｈ”となる。これにより、ＡＮＤ５０から検出信号ＤＥＴが出力される。
【００７４】
以上のように、この第３の実施形態の垂直同期検出回路は、入力信号ＩＮの立ち下がりのタイミングを検出する変化検出部７０と、比較信号ＣＰに基づいてクロック信号ＣＬＫのカウント値を増減し、そのカウント値が正か負かを判定する判定部６０Ｂを有している。これにより、雑音の影響を受けずに確実に垂直同期パルスを検出し、かつ、この垂直同期パルスにタイミングが一致した検出信号を出力することができるという利点がある。更に、第１及び第２の実施形態のような平均算出部３０を持たないので、回路規模を小さくすることができるという利点がある。
【００７５】
（第４の実施形態）
【００７６】
図６は、本発明の第４の実施形態を示す垂直同期検出回路の構成図であり、図５中の要素と共通の要素には共通の符号が付されている。
【００７７】
この垂直同期検出回路は、図５中の判定部６０Ｂに代えて、加重部９０Ａと判定部６０Ｃを設けたものである。
【００７８】
加重部９０Ａは、予め与えられた重み付け係数ＷＦに基づいて、判定部６０Ｃの図示しないカウンタを増減させるための、増加数ＵＰと減少数ＤＮを設定するものである。一方、判定部６０Ｃは、クロック信号ＣＬＫのタイミング毎に、加重部９０Ａから与えられる増加数ＵＰまたは減少数ＤＮをカウンタから増減し、そのカウント値に基づいて信号ＳＰ，ＳＭを出力するものである。その他の構成は、図５と同様である。
【００７９】
この垂直同期検出回路の動作は、図５の垂直同期検出回路の動作とほぼ同様である。但し、図５の垂直同期検出回路の判定部６０Ｂでは、カウンタ６６のカウント値は、比較信号ＣＰの“Ｈ”，“Ｌ”に従って、それぞれ１ずつ増加及び減少していたが、この垂直同期検出回路の判定部６０Ｃでは、カウンタのカウント値は、比較信号ＣＰが“Ｈ”のとき増加数ＵＰ（例えば、３）だけ増加し、この比較信号ＣＰが“Ｌ”のとき減少数ＤＮ（例えば、２）だけ減少する。その他の動作は、図５と同様である。
【００８０】
以上のように、この第４の実施形態の垂直同期検出回路は、クロック信号ＣＬＫに伴ってカウンタを増減させる数を、重み付け係数ＷＦ基づいて設定するための加重部９０Ａを有している。これにより、雑音の特性に応じた重み付け係数ＷＦを与えることにより、第３の実施形態と同様の利点に加えて、その雑音の影響を最小限に抑えるための設定ができるという利点がある。
【００８１】
（第５の実施形態）
【００８２】
図７は、本発明の第５の実施形態を示す垂直同期検出回路の構成図であり、図６中の要素と共通の要素には共通の符号が付されている。
【００８３】
この垂直同期検出回路は、図６中の加重部９０Ａに代えて、機能が若干異なる加重部９０Ｂを設けると共に、２つの比較器４０Ｈ，４０Ｌを追加したものである。
【００８４】
比較器４０Ｈは、入力信号ＩＮのレベルを閾値レベルＴＨよりも若干高い閾値レベルＴＨＨと比較し、その結果の比較信号ＣＰＨを出力するものである。また、比較器４０Ｌは、入力信号ＩＮのレベルを閾値レベルＴＨよりも若干低い閾値レベルＴＨＬと比較し、その結果の比較信号ＣＰＬを出力するものである。これらの比較信号ＣＰＨ，ＣＰＬは、比較器４０から出力される比較信号ＣＰと共に、加重部９０Ｂに与えられるようになっている。
【００８５】
一方、加重部９０Ｂは、３つに比較信号ＣＰＨ，ＣＰ，ＣＰＬの組み合わせに応じて、判定部６０Ｃに対する増加数ＵＰまたは減少数ＤＮを出力するものである。
【００８６】
例えば、入力信号ＩＮが閾値レベルＴＨＨよりも高ければ、比較信号ＣＰＨ，ＣＰ，ＣＰＬはすべて“Ｌ”となり、減少数ＤＮとして２が出力される。また、入力信号ＩＮが閾値レベルＴＨＨと閾値レベルＴＨの間にあれば、比較信号ＣＰＨは“Ｈ”、比較信号ＣＰ，ＣＰＬは“Ｌ”となり、減少数ＤＮとして１が出力される。入力信号ＩＮが閾値レベルＴＨと閾値レベルＴＨＬの間にあれば、比較信号ＣＰＨ，ＣＰは“Ｈ”、比較信号ＣＰＬは“Ｌ”となり、増加数ＵＰとして１が出力される。更に、入力信号ＩＮが閾値レベルＴＨＬよりも低ければ、比較信号ＣＰＨ，ＣＰ，ＣＰＬはすべて“Ｈ”となり、増加数ＵＰとして２が出力されるようになっている。その他の構成は、図６と同様である。
【００８７】
この垂直同期検出回路の動作は、図６の垂直同期検出回路の動作とほぼ同様である。但し、図６の垂直同期検出回路における加重部９０Ａでは、予め与えられた重み付け係数ＷＦに従って、判定部６０Ｃに対する増減の値が決定されたが、この垂直同期検出回路における加重部９０Ｂでは、雑音の大きさに応じて判定部６０Ｃに対する増減の値が段階的に設定されるようになっている。従って、加重部９０Ｂによる増減値の設定を適切に行うことにより、雑音の多い場合でも、より確実に垂直同期信号を検出することができるという利点がある。
【００８８】
なお、本発明は、上記実施形態に限定されず、種々の変形が可能である。この変形例としては、例えば、次のようなものがある。
【００８９】
（ａ）　タイミング部２０Ａ、平均算出部３０Ａ、判定部６０Ａ等の回路構成は、図示したものに限定されない。
【００９０】
（ｂ）　タイミング信号ＴＭ等のクロック数は、例示した値に限定されない。クロック信号ＣＬＫの周波数や、垂直同期パルスの方式に合わせて、適切な値を使用する必要がある。
【００９１】
（ｃ）　図７では、３つの閾値レベルを用いて入力信号ＩＮのレベルを４段階に区分しているが、区分数は任意である。
【００９２】
（ｄ）　図１と図４〜図７の垂直同期検出回路は、合成映像信号ＳＩＧをディジタル化するＡＤＣ１０を有しているが、外部にＡＤＣを設けてディジタルの入力信号ＩＮを入力するように構成しても良い。
【００９３】
【発明の効果】
【００９４】
以上詳細に説明したように、第１及び第２の発明によれば、入力信号のレベルの平均値を算出する平均算出部と、前記平均値が閾値レベルを下回っている時に同期検出信号を出力する比較部とを有している。垂直同期パルスの同期レベルは、雑音が重畳していても平均化すると一定値以下となるので、長い期間の平均をとると共に、適切な閾値レベルを設定することにより、確実に垂直同期パルスを検出することができる。
【００９５】
第３〜第５の発明によれば、入力信号と閾値レベルの比較結果の比較信号に基づいて、カウント値を増減するアップダウン・カウンタと、所定のクロック数毎に第１及び第２のタイミング信号を出力するタイミング部と、これらのタイミング信号に基づいてアップダウン・カウンタのカウント値からリセット信号と同期検出信号を出力する判定部を有している。これにより、平均算出部のような大きな回路を用いることなく、小さな回路規模で確実に垂直同期パルスを検出することができる。
【図面の簡単な説明】
【図１】本発明の第１の実施形態を示す垂直同期検出回路の構成図である。
【図２】ＮＴＳＣ方式の合成映像信号における垂直同期パルスの信号波形図である。
【図３】従来の垂直同期検出回路の一例を示す構成図である。
【図４】本発明の第２の実施形態を示す垂直同期検出回路の構成図である。
【図５】本発明の第３の実施形態を示す垂直同期検出回路の構成図である。
【図６】本発明の第４の実施形態を示す垂直同期検出回路の構成図である。
【図７】本発明の第５の実施形態を示す垂直同期検出回路の構成図である。
【符号の説明】
１０　　ＡＤＣ
２０Ａ〜２０Ｃ　　タイミング部
３０Ａ，３０Ｂ　　平均算出部
４０，４０Ｈ，４０Ｌ　　比較器
５０　　ＡＮＤ
６０Ａ〜６０Ｃ　　判定部
７０　　変化検出部
９０Ａ，９０Ｂ　　加重部
【図１】
2004080534.tif 000003
【図２】
2004080534.tif 000004
【図３】
2004080534.tif 000005
【図４】
2004080534.tif 000006
【図５】
2004080534.tif 000007
【図６】
2004080534.tif 000008
【図７】
2004080534.tif 000009
【手続補正書】
【提出日】平成15年11月25日(2003.11.25)
【手続補正１】
【補正対象書類名】明細書
【補正対象項目名】特許請求の範囲
【補正方法】変更
【補正の内容】
【特許請求の範囲】
【請求項１】
合成映像信号をクロック信号に従ってディジタル化した入力信号から垂直同期パルスを検出する垂直同期検出回路であって、
前記垂直同期パルスにおける同期レベルの期間のほぼ１／ｎ（但し、ｎは複数）に相当する一定周期毎に、前記入力信号のレベルの平均値を算出する平均算出部と、
前記平均値を所定の閾値レベルと比較してその比較結果に応じた比較信号を出力する比較部と、
前記比較信号がｎ回出力される毎に、該ｎ個の比較信号の内で前記平均値が前記閾値レベルを下回っているものが過半数であるか否かを判定し、過半数と判定されたときに同期検出信号を出力する判定部とを、
備えたことを特徴とする垂直同期検出回路。
【請求項２】
合成映像信号をクロック信号に従ってディジタル化した入力信号から垂直同期パルスを検出する垂直同期検出回路であって、
前記クロック信号をカウントして前記垂直同期パルスにおける同期レベルの期間のほぼ１／ｎ（但し、ｎは複数）に相当する一定周期毎に第１のタイミング信号を出力し、カウント値が該同期レベルの期間にほぼ相当する値に達したときに第２のタイミング信号を出力し、リセット信号が与えられたときには該カウント値をリセットするタイミング部と、　前記入力信号を所定の閾値レベルと比較してその比較結果に応じた２値の比較信号を出力する比較部と、
前記比較信号の値に応じてカウント値を１ずつ増加または減少し、リセット信号に応じてそのカウント値をリセットするアップダウン・カウンタと、
前記第１のタイミング信号が与えられたときに、前記アップダウン・カウンタのカウント値に基づいて前記比較信号の内で前記入力信号が前記閾値レベルを上回っているものが過半数であるか否かを判定し、過半数と判定されたときに前記リセット信号を出力し、前記第２のタイミング信号が与えられたときには、該カウント値に基づいて該比較信号の内で該入力信号が該閾値レベルを下回っているものが過半数であるか否かを判定し、過半数と判定されたときに同期検出信号を出力する判定部とを、
備えたことを特徴とする垂直同期検出回路。
【請求項３】
合成映像信号をクロック信号に従ってディジタル化した入力信号から垂直同期パルスを検出する垂直同期検出回路であって、
前記クロック信号をカウントして前記垂直同期パルスにおける同期レベルの期間のほぼ１／ｎ（但し、ｎは複数）に相当する一定周期毎に第１のタイミング信号を出力し、カウント値が該同期レベルの期間にほぼ相当する値に達したときに第２のタイミング信号を出力し、リセット信号が与えられたときには該カウント値をリセットするタイミング部と、　前記入力信号を所定の閾値レベルと比較してその比較結果に応じた２値の比較信号を出力する比較部と、
前記比較信号の値と予め与えられた重み付け係数に応じてカウント値を予め設定された数だけ増加または減少し、リセット信号に応じてそのカウント値をリセットするアップダウン・カウンタと、
前記第１のタイミング信号が与えられたときに、前記アップダウン・カウンタのカウント値に基づいて前記リセット信号の出力を制御し、前記第２のタイミング信号が与えられたときには、該カウント値に基づいて同期検出信号の出力を制御する判定部とを、
備えたことを特徴とする垂直同期検出回路。
【請求項４】
合成映像信号をクロック信号に従ってディジタル化した入力信号から垂直同期パルスを検出する垂直同期検出回路であって、
前記クロック信号をカウントして前記垂直同期パルスにおける同期レベルの期間のほぼ１／ｎ（但し、ｎは複数）に相当する一定周期毎に第１のタイミング信号を出力し、カウント値が該同期レベルの期間にほぼ相当する値に達したときに第２のタイミング信号を出力し、リセット信号が与えられたときには該カウント値をリセットするタイミング部と、　前記入力信号を複数の閾値レベルと比較してその比較結果に応じた多値の比較信号を出力する比較部と、
前記比較信号の値に応じてカウント値を予め設定された数だけ増加または減少し、リセット信号に応じてそのカウント値をリセットするアップダウン・カウンタと、
前記第１のタイミング信号が与えられたときに、前記アップダウン・カウンタのカウント値に基づいて前記リセット信号の出力を制御し、前記第２のタイミング信号が与えられたときには、該カウント値に基づいて同期検出信号の出力を制御する判定部とを、
備えたことを特徴とする垂直同期検出回路。
【手続補正２】
【補正対象書類名】明細書
【補正対象項目名】００２０
【補正方法】変更
【補正の内容】
【００２０】
前記課題を解決するために、本発明の内の第１の発明は、合成映像信号をクロック信号に従ってディジタル化した入力信号から垂直同期パルスを検出する垂直同期検出回路を、前記垂直同期パルスにおける同期レベルの期間のほぼ１／ｎに相当する一定周期毎に、前記入力信号のレベルの平均値を算出する平均算出部と、前記平均値を所定の閾値レベルと比較してその比較結果に応じた比較信号を出力する比較部と、前記比較信号がｎ回出力される毎に、該ｎ個の比較信号の内で前記平均値が前記閾値レベルを下回っているものが過半数であるか否かを判定し、過半数と判定されたときに同期検出信号を出力する判定部とで構成している。


【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】変更
【補正の内容】
【００２２】
第１の発明によれば、次のような作用が行われる。


【手続補正５】
【補正対象書類名】明細書
【補正対象項目名】００２４
【補正方法】変更
【補正の内容】
【００２４】
第２の発明は、垂直同期検出回路を、クロック信号をカウントして垂直同期パルスにおける同期レベルの期間のほぼ１／ｎに相当する一定周期毎に第１のタイミング信号を出力し、カウント値が該同期レベルの期間に相当する値に達したときに第２のタイミング信号を出力し、リセット信号が与えられたときには該カウント値をリセットするタイミング部と、入力信号を所定の閾値レベルと比較してその比較結果に応じた２値の比較信号を出力する比較部と、前記比較信号の値に応じてカウント値を１ずつ増加または減少し、リセット信号に応じてそのカウント値をリセットするアップダウン・カウンタと、前記第１のタイミング信号が与えられたときに、前記アップダウン・カウンタのカウント値に基づいて前記比較信号の内で前記入力信号が前記閾値レベルを上回っているものが過半数であるか否かを判定し、過半数と判定されたときに前記リセット信号を出力し、前記第２のタイミング信号が与えられたときには、該カウント値に基づいて該比較信号の内で該入力信号が該閾値レベルを下回っているものが過半数であるか否かを判定し、過半数と判定されたときに同期検出信号を出力する判定部とで構成している。


【手続補正６】
【補正対象書類名】明細書
【補正対象項目名】００２５
【補正方法】変更
【補正の内容】
【００２５】
第３の発明は、垂直同期検出回路を、第２の発明と同様のタイミング部及び比較部と、比較信号の値と予め与えられた重み付け計数に応じてカウント値を予め設定された数だけ増加または減少し、リセット信号に応じてそのカウント値をリセットするアップダウン・カウンタと、第１のタイミング信号が与えられたときに、前記アップダウン・カウンタのカウント値に基づいて前記リセット信号の出力を制御し、第２のタイミング信号が与えられたときには、該カウント値に基づいて同期検出信号の出力を制御する判定部とで構成している。


【手続補正７】
【補正対象書類名】明細書
【補正対象項目名】００２６
【補正方法】変更
【補正の内容】
【００２６】
第４の発明は、垂直同期検出回路を、第２の発明と同様のタイミング部と、入力信号を複数の閾値レベルと比較してその比較結果に応じた多値の比較信号を出力する比較部と、前記比較信号の値に応じてカウント値を予め設定された数だけ増加または減少し、リセット信号に応じてそのカウント値をリセットするアップダウン・カウンタと、第３の発明と同様の判定部とで構成している。


【手続補正８】
【補正対象書類名】明細書
【補正対象項目名】００２７
【補正方法】変更
【補正の内容】
【００２７】
第２〜第４の発明によれば、次のような作用が行われる。


【手続補正９】
【補正対象書類名】明細書
【補正対象項目名】００９４
【補正方法】変更
【補正の内容】
【００９４】
以上詳細に説明したように、第１の発明によれば、入力信号のレベルの平均値を算出する平均算出部と、前記平均値が閾値レベルを下回っている時に同期検出信号を出力する比較部とを有している。垂直同期パルスの同期レベルは、雑音が重畳していても平均化すると一定値以下となるので、長い期間の平均をとると共に、適切な閾値レベルを設定することにより、確実に垂直同期パルスを検出することができる。


【手続補正１０】
【補正対象書類名】明細書
【補正対象項目名】００９５
【補正方法】変更
【補正の内容】
【００９５】
第２〜第４の発明によれば、入力信号と閾値レベルの比較結果の比較信号に基づいて、カウント値を増減するアップダウン・カウンタと、所定のクロック数毎に第１及び第２のタイミング信号を出力するタイミング部と、これらのタイミング信号に基づいてアップダウン・カウンタのカウント値からリセット信号と同期検出信号を出力する判定部を有している。これにより、平均算出部のような大きな回路を用いることなく、小さな回路規模で確実に垂直同期パルスを検出することができる。